(57)【要約】【課題】動きがある複数の人物を同時に撮影する場合に、当該撮影により得られる写真の仕上がりを向上させて、再撮影の確率を低減することが可能な写真撮影装置を提供する。【解決手段】  写真撮影装置は、撮影室内に位置する被写体であるユーザーの写真を撮影する写真撮影装置であって、前記撮影室に設けられた内壁と、前記内壁に設けられ、前記撮影室内に位置する前記ユーザーを撮影して画像情報を得る撮影部と、前記内壁に設けられ、前記ユーザーが撮影に関する操作入力をするための操作部と、前記内壁に設けられ、撮影に関する所定の情報を表示するための表示部と、前記内壁に設けられ、撮影時に前記ユーザーに光を照射するための定常光ユニットと、画像情報に対応する被写体画像をプリントするプリンタと、を備える。【選択図】図１
2018129592.tif 000002
【特許請求の範囲】
【請求項１】
撮影室内に位置する被写体であるユーザーの写真を撮影する写真撮影装置であって、
前記撮影室に設けられた内壁と、
前記内壁に設けられ、前記撮影室内に位置する前記ユーザーを撮影して画像情報を得る撮影部と、
前記内壁に設けられ、前記ユーザーが撮影に関する操作入力をするための操作部と、
前記内壁に設けられ、撮影に関する所定の情報を表示するための表示部と、
前記内壁に設けられ、撮影時に前記ユーザーに光を照射するための定常光ユニットと、
画像情報に対応する被写体画像をプリントするプリンタと、を備え、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする写真撮影装置。
【請求項２】
前記所定の画像は、前記複数の撮影画像から抽出した前記合成用画像を合成するための、前記合成用画像の背景となる背景画像であり、又は、前記複数の撮影画像から選択した前記合成用画像を合成するための、前記合成用画像の前景となる前景画像である
ことを特徴とする請求項１に記載の写真撮影装置。
【請求項３】
前記撮影画像の色味、又は、コントラストに基づいて、前記複数の撮影画像から、複数のユーザーそれぞれに対応する合成用画像を抽出する
ことを特徴とする請求項２に記載の写真撮影装置。
【請求項４】
前記複数の撮影画像から、前記ユーザーの顔の輪郭、前記ユーザーのめがねフレ一ムの輪郭、または、前記ユーザーの目の周囲の範囲を、前記合成用画像として抽出する
ことを特徴とする請求項３に記載の写真撮影装置。
【請求項５】
クロマキー処理により、被写体である前記ユーザーの輪郭を抽出して、前記合成用画像を取得する
ことを特徴とする請求項４に記載の写真撮影装置。
【請求項６】
撮影時の前記撮影部と前記複数のユーザーとの間の距離に基づいて、前記ユーザーの輪郭を抽出して、前記合成用画像を取得する
ことを特徴とする請求項２に記載の写真撮影装置。
【請求項７】
前記表示部の画面は、ＬＣＤ（Liquid Crystal Display）であることを特徴とする請求項１に記載の写真撮影装置。
【請求項８】
前記表示部は、前記操作部と併用されたタッチパネルであることを特徴とする請求項７に記載の写真撮影装置。
【請求項９】
前記表示部は、前記撮影部よりも下方に位置するように前記内壁に設けられていることを特徴とする請求項８に記載の写真撮影装置。
【請求項１０】
前記定常光ユニットは、前記撮影部よりも上方に位置するように前記内壁に設けられている
ことを特徴とする請求項９に記載の写真撮影装置。
【請求項１１】
前記撮影部が前記ユーザーを撮影するときに、前記定常光ユニットから前記ユーザーの頭部に光を照射させるとともに、前記表示部から前記ユーザーに光を照射させる
ことを特徴とする請求項１０に記載の写真撮影装置。
【請求項１２】
前記操作部から出力された操作信号に応じて、前記表示部、定常光ユニットを制御するとともに、前記画像情報を前記プリンタに出力する制御部をさらに備え、
前記制御部は、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする請求項１に記載の写真撮影装置。
【請求項１３】
撮影室内に位置する被写体であるユーザーの写真を撮影する写真撮影装置であって、前記撮影室に設けられた内壁と、前記内壁に設けられ、前記撮影室内に位置する前記ユーザーを撮影して画像情報を得る撮影部と、前記内壁に設けられ、前記ユーザーが撮影に関する操作入力をするための操作部と、前記内壁に設けられ、撮影に関する所定の情報を表示するための表示部と、前記内壁に設けられ、撮影時に前記ユーザーに光を照射するための定常光ユニットと、画像情報に対応する被写体画像をプリントするプリンタと、を備えた写真撮影装置の制御方法であって、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする写真撮影装置の制御方法。
【発明の詳細な説明】
【技術分野】
【０００１】
本発明は、写真撮影装置、及び、写真撮影装置の制御方法に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として、カメラの周辺に、撮影画像をプレビューさせ、撮影前後のガイダンス用にＬＣＤ等の画面表示部を有する写真撮影装置がある（例えば、特許文献１、２参照）。
【先行技術文献】
【特許文献】
【０００４】
【特許文献１】特許第４６５０６７１号
【特許文献２】特開２００６−１０９３１３号公報
【発明の概要】
【発明が解決しようとする課題】
【０００５】
ところで、既述の従来の写真撮影装置において、集合写真やプリクラなど複数のユーザー（人物）が一緒に写真撮影をする場合、一般的に、目つぶりやブレがあると写真としては好ましくない。
【０００６】
通常は、従来の写真撮影装置において、連続で撮影を行い、複数枚の写真の中から、撮影対象者全員が個々に良いと思われる写真を選ぶが、それでも、ある程度の確率で、再撮影になる。
【０００７】
特に、従来の写真撮影装置において、被写体である複数のユーザーがその場で飛び跳ねた瞬間を撮影したい場合、飛び跳ねた頂上で静止して(被写体ブレせず)撮影されるコマ数は、例えば、シャッター速度１／３０秒時では1ないし2コマ程度である。また、複数のユーザーがジャンプを開始するタイミングやジャンプの高さは、それぞれ異なる。
【０００８】
このため、撮影時に被写体となる複数のユーザーが同時に静止する確率は相当に低くなる。
【０００９】
このように、従来の写真撮影装置では、動きがある複数の人物を同時に撮影する場合に、当該撮影により得られる写真の仕上がりが低くなり、再撮影になる問題があった。
【００１０】
そこで、本発明は、このような課題を効果的に解決し得る写真撮影装置および写真撮影装置の制御方法を提供することを目的とする。
【課題を解決するための手段】
【００１１】
本発明の一態様に係る写真撮影装置は、
撮影室内に位置する被写体であるユーザーの写真を撮影する写真撮影装置であって、
前記撮影室に設けられた内壁と、
前記内壁に設けられ、前記撮影室内に位置する前記ユーザーを撮影して画像情報を得る撮影部と、
前記内壁に設けられ、前記ユーザーが撮影に関する操作入力をするための操作部と、
前記内壁に設けられ、撮影に関する所定の情報を表示するための表示部と、
前記内壁に設けられ、撮影時に前記ユーザーに光を照射するための定常光ユニットと、
画像情報に対応する被写体画像をプリントするプリンタと、を備え、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする。
【００１２】
前記写真撮影装置において、
前記所定の画像は、前記複数の撮影画像から抽出した前記合成用画像を合成するための、前記合成用画像の背景となる背景画像であり、又は、前記複数の撮影画像から選択した前記合成用画像を合成するための、前記合成用画像の前景となる前景画像である
ことを特徴とする。
【００１３】
前記写真撮影装置において、
前記撮影画像の色味、又は、コントラストに基づいて、前記複数の撮影画像から、複数のユーザーそれぞれに対応する合成用画像を抽出する
ことを特徴とする。
【００１４】
前記写真撮影装置において、
前記複数の撮影画像から、前記ユーザーの顔の輪郭、前記ユーザーのめがねフレ一ムの輪郭、または、前記ユーザーの目の周囲の範囲を、前記合成用画像として抽出する
ことを特徴とする。
【００１５】
前記写真撮影装置において、
クロマキー処理により、被写体である前記ユーザーの輪郭を抽出して、前記合成用画像を取得する
ことを特徴とする。
【００１６】
前記写真撮影装置において、
撮影時の前記撮影部と前記複数のユーザーとの間の距離に基づいて、前記ユーザーの輪郭を抽出して、前記合成用画像を取得する
ことを特徴とする。
【００１７】
前記写真撮影装置において、
前記表示部の画面は、ＬＣＤ（Liquid Crystal Display）であることを特徴とする。
【００１８】
前記写真撮影装置において、
前記表示部は、前記操作部と併用されたタッチパネルであることを特徴とする。
【００１９】
前記写真撮影装置において、
前記表示部は、前記撮影部よりも下方に位置するように前記内壁に設けられていることを特徴とする。
【００２０】
前記写真撮影装置において、
前記定常光ユニットは、前記撮影部よりも上方に位置するように前記内壁に設けられている
ことを特徴とする。
【００２１】
前記写真撮影装置において、
前記撮影部が前記ユーザーを撮影するときに、前記定常光ユニットから前記ユーザーの頭部に光を照射させるとともに、前記表示部から前記ユーザーに光を照射させる
ことを特徴とする。
【００２２】
前記写真撮影装置において、
前記操作部から出力された操作信号に応じて、前記表示部、定常光ユニットを制御するとともに、前記画像情報を前記プリンタに出力する制御部をさらに備え、
前記制御部は、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする。
【００２３】
本発明の一態様に係る写真撮影装置の制御方法は、
撮影室内に位置する被写体であるユーザーの写真を撮影する写真撮影装置であって、前記撮影室に設けられた内壁と、前記内壁に設けられ、前記撮影室内に位置する前記ユーザーを撮影して画像情報を得る撮影部と、前記内壁に設けられ、前記ユーザーが撮影に関する操作入力をするための操作部と、前記内壁に設けられ、撮影に関する所定の情報を表示するための表示部と、前記内壁に設けられ、撮影時に前記ユーザーに光を照射するための定常光ユニットと、画像情報に対応する被写体画像をプリントするプリンタと、を備えた写真撮影装置の制御方法であって、
前記撮影部が連続して複数のユーザーを同時に撮影した複数の撮影画像から、複数のユーザーそれぞれに対応した複数の合成用画像を抽出又は選択し、抽出し又は選択した前記複数のユーザーに対応した複数の合成用画像を、所定の画像に合成して前記画像情報に対応する１つの前記被写体画像を取得する
ことを特徴とする。
【発明の効果】
【００２４】
本発明は、動きがある複数の人物を同時に撮影する場合に、当該撮影により得られる写真の仕上がりを向上させて、再撮影の確率を低減することが可能な写真撮影装置、及び、写真撮影装置の制御方法を提供することができる。
【図面の簡単な説明】
【００２５】
【図１】図１は、本実施形態に係る写真撮影装置１００のシステム構成の一例を示す図である。
【図２】図２は、図１に示す写真撮影装置１００にユーザーが位置した場合の各構成の配置の一例を示す図である。
【図３】図３は、は、図１、図２に示す写真撮影装置１００の外観の一例を示す図である。
【図４】図４は、動きがあるユーザーＡ、Ｂを連続して同時に撮影した複数の画像（動画）の例を示す図である。
【図５】図５は、図４に示す連続して同時に撮影した複数の画像から、ブレが無いユーザーＡ、Ｂのそれぞれの画像を抽出した図である。
【図６】図６は、図５に示すユーザーＡ、Ｂの抽出した画像を、所定の画像に合成した図である。
【図７】図７は、動きがあるユーザーＡ、Ｂを連続して同時に撮影した複数の画像（動画）の他の例を示す図である。
【図８】図８は、抽出したユーザーＡ、Ｂの画像を合成するための背景の画像の一例を示す図である。
【図９】図９は、図７に示すユーザーＡ、Ｂの抽出した画像を、図８に示す画像に合成した図である。
【図１０】図１０は、写真撮影装置１００におけるユーザーの写真撮影の制御フローの一例を示す図である。
【図１１】図１１は、図１０に続く、写真撮影装置１００におけるユーザーの写真撮影の制御フローの一例を示す図である。
【図１２】図１２は、図１１に続く、写真撮影装置１００におけるユーザーの写真撮影の制御フローの一例を示す図である。
【発明を実施するための形態】
【００２６】
図１は、本実施形態に係る写真撮影装置１００のシステム構成の一例を示す図である。また、図２は、図１に示す写真撮影装置１００にユーザーが位置した場合の各構成の配置の一例を示す図である。また、図３は、は、図１、図２に示す写真撮影装置１００の外観の一例を示す図である。また、図４は、動きがあるユーザーＡ、Ｂを連続して同時に撮影した複数の画像（動画）の例を示す図である。また、図５は、図４に示す連続して同時に撮影した複数の画像から、ブレが無いユーザーＡ、Ｂのそれぞれの画像を抽出した図である。また、図６は、図５に示すユーザーＡ、Ｂの抽出した画像を、所定の画像に合成した図である。また、図７は、動きがあるユーザーＡ、Ｂを連続して同時に撮影した複数の画像（動画）の他の例を示す図である。また、図８は、抽出したユーザーＡ、Ｂの画像を合成するための背景の画像の一例を示す図である。また、図９は、図７に示すユーザーＡ、Ｂの抽出した画像を、図８に示す画像に合成した図である。
【００２７】
なお、図２においては、簡単のため、図１に示す制御部１１、記憶部１６、及びＩ／Ｏユニット３１と、は、省略されている。
【００２８】
例えば、図１、図２に示すように、写真撮影装置１００は、制御部１１と、カメラ（撮影装置）Ｃと、検知センサ１３と、入力装置（操作部）１４と、ＬＣＤ表示部（表示装置）Ｍと、記憶部１６と、プリンタ１７と、Ｉ／Ｏ（Input/Output）ユニット３１と、スピーカ２２と、キャッシャー２３と、定常光ユニットＺと、を備える。
【００２９】
そして、図２、図３に示すように、ボックス形状を有する写真撮影装置１００は、ボックス本体１００ａと、ボックス本体１００ａ内に収納空間１００ｆと撮影空間（撮影室）１００ｇとを形成するよう設けられた内壁１００ｄと、写真撮影装置１００の後部の壁１００ｈと、側部の側壁１００ｉを備えている。
【００３０】
なお、このボックス本体１００ａ内の撮影空間１００ｇの天井の高さは、例えば、床から１８０ｃｍ程度である。
【００３１】
また、図３に示すように、ボックス本体１００ａの外面には、プリンタ１７によりプリントされた写真を取り取出口１００ｃ、および、ユーザーＡ、Ｂがボックス本体１００ａ内部に出入する出入口１００ｅが設けられている。
【００３２】
また、図５に示すように、出入口１００ｅには、写真撮影を行う際に外部からの光を遮断する遮光カーテン１００ｂが取り付けられている。
【００３３】
なお、必要に応じて、写真撮影装置１００の後部の壁１００ｈや側壁１００ｉを、省略するようにしてもよい。
【００３４】
なお、必要に応じて、撮影空間１００ｇ内には、写真撮影中にユーザーＡ、Ｂが座る椅子（図示せず）が昇降可能に設置されていてもよい。
【００３５】
また、図２に示すように、収納空間１００ｆ内には、内壁１００ｄに設けられた撮影窓２１（後述）を介して複数の被写体（ユーザーＡ、Ｂ）を撮影して画像情報を得るカメラ（撮影装置）Ｃと、画像情報に対応する被写体画像をプリントしてユーザーＡ、Ｂに証明写真を提供するプリンタ１７と、が配置されている。なお、当該撮影窓２１とカメラＣとにより、撮影部が構成される。
【００３６】
なお「画像情報」とは、撮影により得られた被写体画像の電子情報のことである。
【００３７】
また、内壁１００ｄには、撮影窓２１およびＬＣＤ表示部Ｍが設けられている。
【００３８】
また、撮影窓２１は、収納空間１００ｆ内に設置されたカメラＣによって撮影空間１００ｇ内のユーザーＡ、Ｂを撮影する際の窓となる部分である。
【００３９】
また、撮影窓２１の近傍には、ユーザーＡ、Ｂが撮影空間１００ｇ内に入ってきたことを検知する検知センサ１３が設けられている。
【００４０】
そして、ユーザーＡ、Ｂの入室が検知センサ１３により検知されると、ＬＣＤ表示部Ｍおよびスピーカ２２によるガイダンスを開始するようになっている。
【００４１】
ここで、図１に示す制御部１１は、ＣＰＵ（Central Processing Unit）、ＲＡＭ（Random Access Memory）等から構成される。
【００４２】
この制御部１１は、記憶部１６に格納されているシステムプログラムや、画像撮影処理プログラム、画像処理プログラム等の各種プログラムを読み出してＲＡＭに展開し、当該プログラムに従って各部（カメラ（撮影装置）Ｃ、検知センサ１３、入力装置（操作部）１４、ＬＣＤ表示部（表示装置）Ｍ、記憶部１６、プリンタ１７、Ｉ／Ｏ（Input/Output）ユニット３１、スピーカ２２、キャッシャー２３、及び、定常光ユニットＺ）の動作を集中制御するようになっている。
【００４３】
また、撮影部を構成するカメラＣは、光学レンズ、ＣＣＤ（Charge Coupled Device）等の光学センサ、Ａ／Ｄ（Analog/Digital）変換部等で構成されている。
【００４４】
このカメラＣは、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００４５】
このカメラＣは、例えば、図４に示すように、連続して複数のユーザーＡ、Ｂを同時に撮影し、複数の撮影画像Ｐ１〜Ｐ７を取得するようになっている。
【００４６】
なお、このカメラＣの撮影の方向の中心の高さは、例えば、ユーザーＡ、Ｂの頭部の位置程度の高さである（図２）。
【００４７】
このように、撮影部を構成するカメラＣは、内壁１００ｄに設けられ、撮影空間（撮影室）１００ｇ内に位置するユーザーＡ、Ｂを撮影して画像情報を得るようになっている。
【００４８】
また、検知センサ１３は、画像処理装置１の撮影室（撮影空間１００ｇ）内にユーザーＡ、Ｂが入室したことを検知する光学センサ等であり、その検知信号を制御部１１に出力するようになっている。
【００４９】
また、操作部である入力装置１４は、カメラＣと撮影窓２１（撮像部）よりも下方に位置するように内壁１００ｄに設けられ、ユーザーＡ、Ｂが撮影に関する操作入力をするためのものである。
【００５０】
この入力装置１４は、写真種類を選択するための写真種選択スイッチ、撮影開始を指示するための撮影スイッチ、撮影画像のプリント出力を指示するためのプリントスイッチ等の各種機能キーを備える。
【００５１】
この入力装置１４は、例えば、後述のようにＬＣＤ表示部Ｍと一体に構成されるタッチパネルである。この入力装置１４は、操作されたキーに対応する操作信号を制御部１１に出力するようになっている。
【００５２】
また、記憶部１６は、システムプログラムの他、顔画像撮影処理プログラム、画像処理プログラム等の各種処理プログラム及び各プログラムで処理されたデータ等を記憶するようになっている。
【００５３】
そして、プリンタ１７は、制御部１１から入力された画像データに基づいてプリント出力を行う（すなわち、カメラＣ（撮影部）が取得した画像情報に対応する被写体画像をプリントする）ようになっている。
【００５４】
また、図１に示すＩ／Ｏユニット３１は、制御部１１と、スピーカ２２、キャッシャー２３、定常光ユニットＺとの間で情報のやり取りを仲介するインターフェイスである。
【００５５】
このＩ／Ｏユニット３１は、制御部１１からの制御信号をスピーカ２２、キャッシャー２３、定常光ユニットＺに送信するとともに、スピーカ２２、キャッシャー２３、定常光ユニットＺからのステータス信号等を制御部１１に出力するようになっている。
【００５６】
そして、スピーカ２２は、Ｉ／Ｏユニット３１を介して制御部１１から入力されるガイド用アナウンスの音声信号を出力するようになっている。
【００５７】
また、図２に示すように、内壁１００ｄには、カメラＣ（撮影窓２１）よりも上方に位置するように、撮影用の定常光ユニットＺが設けられている。この定常光ユニットＺは、ユーザーＡ、Ｂに、光を照射するようになっている。
【００５８】
この定常光ユニットＺは、制御部１１から指示に応じて、定常的（撮影時を含む）に、定常光を出力するようになっている。この定常光ユニットＺは、例えば、蛍光管やＬＥＤ電球などによる定常光を用いるようになっている。なお、写真撮影装置１００は、撮影時に、制御部１１から指示された発光タイミング、発光量で発光を行うストロボユニット（図示せず）を備えていてもよい。
【００５９】
ここで、図２に示すように、例えば、定常光ユニットＺの高さは、カメラＣが配置される位置よりも上の高さである（図２）。このように定常光ユニットＺは、例えば、カメラＣ及び撮影窓２１（撮影部）よりも上方に位置するように内壁１００ｄに設けられている。
【００６０】
また、図２に示すように、撮影窓２１の近傍には、撮影料金を精算するためのキャッシャー２３が設けられている。
【００６１】
このキャッシャー２３は、硬貨や紙幣の入金口、釣銭の返金口等（図示せず）を備えた金銭登録機である。このキャッシャー２３は、入金口から入金された金額を検出して釣銭の金額を算出し、算出された釣銭金額分の硬貨又は紙幣を返金口に排出して料金精算を行うようになっている。
【００６２】
また、図２に示すように、収納空間１００ｆ内には、操作手順やその他撮影に関するガイド映像等を表示するＬＣＤ表示部Ｍが設置されている。
【００６３】
このＬＣＤ表示部Ｍは、ＬＣＤ（Liquid Crystal Display）の画面を備える。
【００６４】
このＬＣＤ表示部Ｍは、制御部１１からの制御信号に従って、撮影手順を説明するガイド画面、写真種類を選択するための選択画面等の各種操作画面や、カメラ（撮像装置）Ｃにより撮影されたユーザーＡ、Ｂの顔画像等を表示するようになっている。
【００６５】
また、ＬＣＤ表示部Ｍは、既述のように、入力装置１４と併用されており、撮影に関する情報をユーザーＡ、Ｂに向けて表示するとともに、ユーザーＡ、Ｂが撮影に関する操作入力を行うようになっている。このＬＣＤ表示部Ｍは、例えば、入力装置（操作部）１４と併用された操作用タッチパネルである。
【００６６】
このように、ＬＣＤ表示部Ｍは、カメラＣ及び撮影窓２１（撮影部）よりも下方に位置するように内壁１００ｄに設けられ、撮影に関する所定の情報を表示するためのものである。
【００６７】
なお、撮影に関する情報は、ＬＣＤ表示部Ｍに表示されるとともに、ＬＣＤ表示部Ｍの下方に設けられたスピーカ２２を介して音声でユーザーＡ、Ｂに提供されてもよい。
【００６８】
しかし、図３に示すように、ユーザーＡ、Ｂの頭部の高さに位置するカメラＣよりも下にＬＣＤ表示部Ｍが配置されており、例えば、撮影時にはこのＬＣＤ表示部Ｍか出射した光により、ユーザーＡ、Ｂが照らされるようにしてもよい。
【００６９】
ここで、制御部１１は、撮影部を構成するカメラＣが連続して複数のユーザーＡ、Ｂを同時に撮影した複数の撮影画像（動画）Ｐ１〜Ｐ７（図４）から、ユーザーＡ、Ｂの写りにブレが無い図４の撮影画像Ｐ５、Ｐ４に含まれている、複数のユーザーＡ、Ｂそれぞれに対応した複数の合成用画像ＰＸＡ、ＰＸＢ（図５）を抽出するようになっている。そして、制御部１１は、この抽出した複数のユーザーＡ、Ｂに対応した複数の合成用画像ＰＸＡ、ＰＸＢ（図５）を、所定の画像に合成して画像情報に対応する１つの被写体画像（図６）を取得するようになっている。
【００７０】
この場合、既述の所定の画像は、複数の撮影画像から抽出した合成用画像を合成するための、合成用画像の背景となる図６の背景画像ＰＢである。
【００７１】
また、制御部１１は、撮影部を構成するカメラＣが連続して複数のユーザーＡ、Ｂを同時に撮影した複数の撮影画像（動画）Ｐ１〜Ｐ７（図４）から、ユーザーＡ、Ｂの写りにブレが無い図４の撮影画像Ｐ５、Ｐ４に含まれている、複数のユーザーＡ、Ｂそれぞれに対応した複数の合成用画像Ｐ５Ａ、Ｐ４Ｂ（図５）を選択するようにしてもよい。そして、制御部１１は、この選択した複数のユーザーＡ、Ｂに対応した複数の合成用画像Ｐ５Ａ、Ｐ４Ｂ（図５）を、所定の画像（前景画像）に合成して画像情報に対応する１つの被写体画像を取得するようにしてもよい。
【００７２】
この場合、既述の所定の画像は、複数の撮影画像から選択した合成用画像を合成するための、合成用画像の前景となる前景画像であってもよい。この場合、複数の撮影画像から、ユーザーＡ、Ｂが写っている合成用画像を選択するものであり、複数の撮影画像からユーザーＡ、Ｂの輪郭は抽出しない。そして、例えば、この選択された合成用画像は、穴のあいた前景テンプレートである所定の画像の後景としてはめ込まれて、１つの被写体画像になる。
【００７３】
さらに、変形例として、制御部１１は、撮影部を構成するカメラＣが連続して複数のユーザーＡ、Ｂを同時に撮影した複数の撮影画像（動画）Ｐ１Ａ、Ｐ２Ａ（図７）から、ユーザーＡ、Ｂの写りに目つぶりが無い図７の撮影画像Ｐ１Ａ、Ｐ２Ａに含まれている、複数のユーザーＡ、Ｂそれぞれに対応した複数の合成用画像ＡＸ１、ＢＸ２（図７）を抽出するようにしてもよい。そして、制御部１１は、この抽出した複数のユーザーＡ、Ｂに対応した複数の合成用画像ＡＸ１、ＢＸ２（図７）を、所定の画像ＰＢ（図８）に合成して画像情報に対応する１つの被写体画像ＰＺ（図９）を取得するようにしてもよい。
【００７４】
この場合、制御部１１は、必要に応じて、複数の合成用画像ＡＸ１、ＢＸ２のサイズや位置を自動的に調整して、所定の画像ＰＢ（図８）に合成するようにしてもよい。
【００７５】
なお、制御部１１は、ユーザーＡ、Ｂが手動モードを選ぶことで、自動認識して選択すべき合成用画像の候補をＬＣＤ表示部Ｍに表示してユーザーＡ、Ｂに選ばせるようにしてもよい。すなわち、ユーザーＡ、Ｂが自動で各人物の好ましい画像を選択するようにしてもよい。
【００７６】
なお、制御部１１は、顔認証ソフトなどを用いて、複数の撮影画像から、複数のユーザーを自動認証するようにしてもよい。この場合、当該顔認証ソフトによりユーザーの目つぶりを検出するようにしてもよい。
【００７７】
なお、制御部１１は、撮影画像の色味、又は、コントラスト（画像情報）に基づいて、複数の撮影画像から、複数のユーザーＡ、Ｂそれぞれに対応する合成用画像を抽出するようになっている。より具体的には、制御部１１は、当該画像情報に基づいて、例えば、複数の撮影画像から、ユーザーＡ、Ｂの顔の輪郭、ユーザーＡ、Ｂのめがねフレ一ムの輪郭、または、ユーザーＡ、Ｂの目の周囲の範囲を、合成用画像として抽出するようになっている。
【００７８】
なお、制御部１１は、例えば、クロマキー処理により、被写体であるユーザーＡ、Ｂの輪郭を抽出して、合成用画像を取得し、するようにしてもよい。
【００７９】
なお、制御部１１は、撮影時の撮影部を構成するカメラＣと複数のユーザーＡ、Ｂとの間の距離に基づいて（例えば、マイクロソフト社キネクトを用いた距離情報に基づいて）、ユーザーＡ、Ｂの輪郭を抽出して、合成用画像を取得するようにしてもよい。
【００８０】
このように、写真撮影装置１００は、複数枚の撮影画像から、人物ごとにベストショットを選び、合成して1枚の画像に仕上げるようになっている。
【００８１】
これにより、撮影した写真の仕上がりを向上させて、再撮影の確率を低減することができる。
【００８２】
次に、以上のような構成を有する写真撮影装置１００の動作フローの一例について説明する。なお、ここでは、３人のユーザーＡ、Ｂ、Ｄが写真撮影装置１００により写真を撮影する例について説明する。
【００８３】
ここで、図１０は、写真撮影装置１００における写真撮影の制御フローの一例を示す図である。また、図１１は、図１０に続く、写真撮影装置１００におけるユーザーの写真撮影の制御フローの一例を示す図である。また、図１２は、図１１に続く、写真撮影装置１００におけるユーザーの写真撮影の制御フローの一例を示す図である。
【００８４】
例えば、図１０に示すように、ユーザーＡ、Ｂ、Ｄが写真撮影装置１００の出入口１００ｅから撮影空間１００ｇに入室する（ステップＳ１）。
【００８５】
そして、検知センサ１３はユーザーＡ、Ｂ、Ｄが入室したことを検知すると検知信号を制御部１１に出力する（ステップＳ２）。
【００８６】
そして、上記検知信号により、制御部１１が起動して、カメラＣが撮影可能な状態にスタンバイするとともに、撮影空間１００ｇ内の定常光ユニットＺの定常光が点灯される（ステップＳ３）。
【００８７】
さらに、制御部１１は、ＬＣＤ表示部Ｍの画面に、撮影に関する情報をユーザーＡ、Ｂ、Ｄに向けて表示し、同時にスピーカ２２から撮影ガイドに係るアナウンス音声が出力される。このように、ＬＣＤ表示部Ｍおよびスピーカ２２によるガイダンスが開始される。
【００８８】
そして、ユーザーＡ、Ｂ、Ｄは、ＬＣＤ表示部Ｍの画面に表示されたガイダンスを確認して、撮影のための準備をする（ステップＳ４）。
【００８９】
そして、ユーザーＡ、Ｂ、Ｄは、撮影される人数等、撮影に関する所定の操作入力を行う（ステップＳ５）。
【００９０】
その後、ユーザーＡ、Ｂ、ＤがＬＣＤ表示部Ｍの画面に表示される撮影開始ボタン（タッチパネルである入力装置１４の撮影開始ボタン）を操作する（ステップＳ６）。このステップＳ６において、制御部１１は、ＬＣＤ表示部Ｍの画面Ｐ５、Ｐ５ａには、ユーザーＡ、Ｂ、ＤのカメラＣにより撮影されている撮影動画（ライブビュー）を表示させる。
【００９１】
この撮影開始ボタンの操作により、制御部１１は、カメラＣによる写真の撮影までの時間のカウントダウンを実行するとともに、ＬＣＤ表示部Ｍの画面にカウントダウンの数字を表示させる（ステップＳ７）。
【００９２】
そして、ユーザーＡ、Ｂ、Ｄは、ＬＣＤ表示部Ｍの画面に表示される数字のカウントダウンに合わせて、撮像したい体勢にポージング（例えば、ジャンプ等）する（ステップＳ８）。
【００９３】
このとき、制御部１１は、ＬＣＤ表示部Ｍの画面には、ユーザーＡ、Ｂ、ＤのカメラＣにより撮影されている撮影動画（ライブビュー）が表示されているので、ユーザーＡ、Ｂ、Ｄは、ＬＣＤ表示部Ｍの画面を見て、ポージングを確認することができる。
【００９４】
そして、制御部１１は、撮影までのカウントダウンの終了後、ユーザーＡ、Ｂ、Ｄに対して同時に、定常光ユニットＺが定常光を出力した状態で、カメラＣによる複数の写真（動画）の撮影を実行する（ステップＳ９）。っそして、制御部１１は、カメラＣを制御し、被写体であるユーザーＡ、Ｂ、Ｄの連続した写真（動画）の撮影が実行して、撮影が終了する（ステップＳ１０）。
【００９５】
そして、制御部１１は、撮影が終了した後、撮影が終了した旨を表示させるように、ＬＣＤ表示部Ｍの画面の表示を変更する（ステップＳ１１）。
【００９６】
そして、制御部１１は、記憶部１６に記憶されている画像処理プログラムが読み出し、撮影によりカメラＣから入力された画像データに画像処理を施す。
【００９７】
そして、制御部１１は、撮影した複数の撮影画像（動画）から、フレームを切り出して、複数枚の静止画（例えば、図４に示す撮影画像Ｐ１〜Ｐ７のような画像）を作成する（ステップＳ１２）。
【００９８】
そして、制御部１１は、この切り出した複数枚の静止画（例えば、図４に示す撮影画像Ｐ１〜Ｐ７のような画像）をＬＣＤ表示部Ｍの画面に表示させる（ステップＳ１３）。
【００９９】
そして、制御部１１は、複数の撮影画像から、例えば、ユーザーＡの写りにブレや目つぶり等が無い撮影画像を選択する（ステップＳ１４）。なお、この撮影画像の選択は、制御部１１が画像処理等で自動的に、又は、ユーザーの操作入力（手動）により、実行される。
【０１００】
そして、制御部１１は、複数の撮影画像から、ユーザーＡの写りにブレや目つぶり等が無い撮影画像に含まれている、ユーザーＡに対応した合成用画像（例えば、図５に示す合成画像ＰＸＡのような画像）を選択し又は抽出する（ステップＳ１５）。なお、この合成画像の選択又は抽出は、制御部１１が画像処理等で自動的に、又は、ユーザーの操作入力（手動）により、実行される。
【０１０１】
そして、制御部１１は、この選択又は抽出された合成画像を、ユーザーＡに対応した合成用画像として、確定させる（ステップＳ１６）。
【０１０２】
その後、制御部１１は、再度、ステップＳ１３と同様に、切り出した複数枚の静止画をＬＣＤ表示部Ｍの画面に表示させる（ステップＳ１７）。
【０１０３】
そして、制御部１１は、複数の撮影画像から、例えば、ユーザーＢの写りにブレや目つぶり等が無い撮影画像を選択する（ステップＳ１８）。なお、この撮影画像の選択は、制御部１１が画像処理等で自動的に、又は、ユーザーの操作入力（手動）により、実行される。
【０１０４】
そして、制御部１１は、複数の撮影画像から、ユーザーＢの写りにブレや目つぶり等が無い撮影画像に含まれている、ユーザーＢに対応した合成用画像（例えば、図５に示す合成画像ＰＸＢのような画像）を選択し又は抽出する（ステップＳ１９）。なお、この合成画像の選択又は抽出は、制御部１１が画像処理等で自動的に、又は、ユーザーの操作入力（手動）により、実行される。
【０１０５】
そして、制御部１１は、この選択又は抽出された合成画像を、ユーザーＢに対応した合成用画像として、確定させる（ステップＳ２０）。
【０１０６】
その後、制御部１１は、再度、ステップＳ１３、１６と同様に、切り出した複数枚の静止画をＬＣＤ表示部Ｍの画面に表示させる（ステップＳ２１）。
【０１０７】
そして、制御部１１は、複数の撮影画像から、例えば、ユーザーＤの写りにブレや目つぶり等が無い撮影画像を選択する（ステップＳ２２）。なお、この撮影画像の選択は、制御部１１が画像処理等で自動的に、又は、ユーザーの操作入力（手動）により、実行される。
【０１０８】
そして、制御部１１は、複数の撮影画像から、ユーザーＤの写りにブレや目つぶり等が無い撮影画像に含まれている、ユーザーＤに対応した合成用画像を選択し又は抽出する（ステップＳ２３）。なお、この合成画像の選択又は抽出は、制御部１１が画像処理等で自動的に、又は、ユーザーの操作入力（手動）により、実行される。
【０１０９】
そして、制御部１１は、この選択又は抽出された合成画像を、ユーザーＤに対応した合成用画像として、確定させる（ステップＳ２４）。
【０１１０】
なお、既述の合成画像の抽出において、例えば、ＬＣＤ表示部Ｍのプレビュー画面(リアルタイム表示)中に枠線を表示して、画像がはみ出ないように、ユーザーの操作を補助する。
【０１１１】
そして、制御部１１は、以上のようにして、選択又は抽出した複数のユーザーＡ、Ｂ、Ｄに対応した複数の合成用画像を、１つの合成用画像に合成する（ステップＳ２５）。
【０１１２】
その後、制御部１１は、ＬＣＤ表示部Ｍの画面に、当該合成用画像を合成するための所定の画像として、合成用画像の背景となる背景画像、又は、合成用画像の前景となる前景画像を表示する。そして、ユーザーＡ、Ｂ、Ｄは、所定の操作入力により、この表示された背景画像、又は、前景画像を選択する（ステップＳ２６）。
【０１１３】
そして、制御部１１は、当該合成用画像、及び、選択された背景画像又は前景画像の位置関係を調整する（ステップＳ２７）。なお、この位置関係の調整は、制御部１１が画像処理等で自動的に、又は、ユーザーの操作入力（手動）により、実行される。
【０１１４】
そして、制御部１１は、複数のユーザーＡ、Ｂ、Ｄに対応して合成した１つの合成用画像を、選択された背景画像又は前景画像に合成して画像情報に対応する１つの被写体画像を取得する。そして、制御部１１は、ＬＣＤ表示部の画面に、この得られた被写体画像を、仕上がり画像として表示するとともに、再撮影（撮り直し）が必要であるか否かを選択するためのボタンを表示させる（ステップＳ２８）。
【０１１５】
そして、ユーザーＡ、Ｂ、Ｄが、ＬＣＤ表示部Ｍの画面に表示される再撮影（撮り直し）を選択するボタンを操作した場合には、制御部１１は、既述のステップＳ６に戻り、再撮影を実行する（ステップＳ２９）。
【０１１６】
一方、ユーザーＡ、Ｂ、Ｄが、ＬＣＤ表示部Ｍの画面に表示される再撮影（撮り直し）を選択するボタンを操作しない（言い換えれば、撮影した写真で承諾する旨のボタンを操作した）場合には、制御部１１は、例えば、ＬＣＤ表示部Ｍの画面に、ユーザーＡ、Ｂ、Ｄにキャッシャー２３への料金を入金することを案内する旨の表示をさせる。
【０１１７】
次いで、料金が投入されると、制御部１１は、キャッシャー２３において入金された金額のチェックを実行する。そして、キャッシャー２３において選択された写真サイズ、種類に応じた料金の精算を実行し、釣銭を返金口に排出することで、入金処理が完了する（ステップＳ３０）。
【０１１８】
そして、ステップＳ３０において、入金処理が完了すると、制御部１１は、画像処理済みの画像データをプリンタ１７に出力し、プリンタ１７により写真のプリント出力を実行し、写真プリントが取出口１００ｃに排出されると（ステップＳ３１）、本処理は終了する。
【０１１９】
このように、写真撮影装置１００の制御方法では、複数枚の撮影画像から、人物ごとにベストショットを選び、合成して1枚の画像に仕上げるようになっている。
【０１２０】
このため、ユーザーＡ、Ｂ、Ｄは、写真の再撮影を選択する必要性が低下し、再撮影の確率が低減することとなる。
【０１２１】
以上のように、本実施形態に係る写真撮影装置および写真撮影装置の制御方法によれば、動きがある複数の人物を同時に撮影する場合に、当該撮影により得られる写真の仕上がりを向上させて、再撮影の確率を低減することができる。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２３】
１００  写真撮影装置
１１  制御部
Ｃ  カメラ（撮影装置）
１３  検知センサ
１４  入力装置
Ｍ  ＬＣＤ表示部（表示装置）
１６  記憶部
１７  プリンタ
２１  撮影窓  
３１  Ｉ／Ｏ（Input/Output）ユニット
２２  スピーカ
２３  キャッシャー
Ｚ  定常光ユニット
【図１】
2018129592.tif 000003
【図２】
2018129592.tif 000004
【図３】
2018129592.tif 000005
【図４】
2018129592.tif 000006
【図５】
2018129592.tif 000007
【図６】
2018129592.tif 000008
【図７】
2018129592.tif 000009
【図８】
2018129592.tif 000010
【図９】
2018129592.tif 000011
【図１０】
2018129592.tif 000012
【図１１】
2018129592.tif 000013
【図１２】
2018129592.tif 000014